(57)【要約】【課題】動画像データが記録された記録媒体にサムネイル画像のデータが記録されていない場合でも、サムネイル画像を高速に表示すること。【解決手段】サムネイル画像の表示対象となる動画像データの数と各動画像データの解像度に基づいて、デコード方法判断部２４は、動画像データのサムネイル用フレームの復号方法を選択する。規格に準拠した復号方法の場合、元の動画像データにより支持される予測モードでイントラ予測を行って復号化する。規格に準拠しない復号方法の場合、元の動画像データにより支持される予測モードよりも少ない演算量または少ないメモリアクセス量でイントラ予測を行うことができる予測モードでイントラ予測を行って復号化する。【選択図】図２
2009081511.tif 000002
【特許請求の範囲】
【請求項１】
複数の復号方法の中から一つを選択する選択手段と、
前記選択手段により選択された復号方法により、圧縮された動画像データの特定フレームのデータを復号化する復号手段と、
前記復号手段により復号化されたデータに基づいてサムネイル画像を生成する生成手段と、
を備えることを特徴とするサムネイル画像生成装置。
【請求項２】
前記選択手段は、サムネイル画像の表示対象となる動画像データの数と該動画像データの解像度に基づいて、復号方法を選択することを特徴とする請求項１に記載のサムネイル画像生成装置。
【請求項３】
前記復号手段は、前記選択手段により第１の復号方法が選択されるときに、元の動画像データにより支持される予測モードでイントラ予測を行い、前記選択手段により第２の復号方法が選択されるときに、元の動画像データにより支持される予測モードと異なる予測モードでイントラ予測を行うことを特徴とする請求項２に記載のサムネイル画像生成装置。
【請求項４】
元の動画像データにより支持される予測モードを、前記選択手段により前記第２の復号方法が選択されるときの予測モードに変換するテーブル、をさらに備えることを特徴とする請求項３に記載のサムネイル画像生成装置。
【請求項５】
圧縮された動画像データをビデオデータとオーディオデータに分離する分離手段と、
複数の復号方法の中から一つを選択する選択手段と、
前記分離手段で分離されたビデオデータを復号化するとともに、前記選択手段により選択された復号方法により、圧縮された動画像データの特定フレームのデータを復号化するビデオ復号手段と、
前記ビデオ復号手段により復号化されたデータに基づいてサムネイル画像を生成する生成手段と、
前記分離手段で分離されたオーディオデータを復号化するオーディオ復号手段と、
を備えることを特徴とする動画像再生装置。
【発明の詳細な説明】
【技術分野】
【０００１】
この発明は、サムネイル画像生成装置および動画像再生装置に関する。
【背景技術】
【０００２】
従来、ＤＶＤやハードディスクや不揮発性メモリなどの記録媒体に記録された動画像データを再生する装置において、視聴者の望む動画像データを再生する際に、動画像データのサムネイル画像を表示し、視聴者に所望のサムネイル画像を選択させる機能を有するものがある。サムネイル画像とは、動画像データの特定のフレーム（通常は、先頭フレーム）の画像を縮小した画像のことである。
【０００３】
サムネイル画像のデータが、予め、動画像データとともに記録媒体に記録されていることがある（例えば、特許文献１参照。）。この場合には、動画像再生装置は、記録媒体からサムネイル画像のデータを読み出してサムネイル画像を表示すればよい。従って、サムネイル画像を高速に表示することが可能である。
【０００４】
【特許文献１】特開２００１−１１１９６３号公報（段落［０００６］〜［００１０］）
【発明の開示】
【発明が解決しようとする課題】
【０００５】
しかしながら、記録媒体にサムネイル画像のデータが記録されていない場合には、動画像再生装置は、記録媒体から動画像データを読み出し、その中の特定のフレームのデータを復号し、解像度を縮小してサムネイル画像のデータを生成する必要がある。この処理には、多くの演算量と、外部メモリ（フレームバッファや作業用メモリ）への頻繁なアクセスが必要である。そのため、表示するサムネイル画像が多いと、すべてのサムネイル画像を表示するまでに時間がかかるという問題点がある。
【０００６】
この発明は、上述した従来技術による問題点を解消するため、サムネイル画像を高速に表示することができるサムネイル画像生成装置および動画像再生装置を提供することを目的とする。
【課題を解決するための手段】
【０００７】
上述した課題を解決し、目的を達成するため、本発明にかかるサムネイル画像生成装置および動画像再生装置は、選択手段、復号手段および生成手段を備える。選択手段は、サムネイル画像の表示対象となる動画像データの数と該動画像データの解像度に基づいて、複数の復号方法の中から一つを選択する。復号手段は、選択手段により第１の復号方法が選択されるときに、元の動画像データにより支持される予測モードでイントラ予測を行い、圧縮された動画像データの特定フレームのデータを復号化する。一方、復号手段は、選択手段により第２の復号方法が選択されるときに、元の動画像データにより支持される予測モードと異なる予測モードでイントラ予測を行い、圧縮された動画像データの特定フレームのデータを復号化する。生成手段は、復号手段により復号化されたデータに基づいてサムネイル画像を生成する。
【０００８】
また、本発明にかかるサムネイル画像生成装置および動画像再生装置は、元の動画像データにより支持される予測モードを、選択手段により第２の復号方法が選択されるときの予測モードに変換するテーブルを備えている。第２の復号方法が選択される場合、このテーブルに基づいて、元の動画像データにより支持される予測モードが、第２の復号方法が選択されるときの予測モードに変換される。第２の復号方法が選択されるときの予測モードは、元の動画像データにより支持される予測モードよりも少ない演算量または少ないメモリアクセス量でイントラ予測を行うモードである。また、第２の復号方法が選択される場合、サムネイル画像の縮小比率に応じて予測モードを変更したり、サムネイル画像の水平方向の縮小比率とサムネイル画像の垂直方向の縮小比率を比較して、縮小比率の大きい方の予測モードに変更したりしてもよい。
【０００９】
この発明によれば、動画像データの数と動画像データの解像度に基づいて、第１の復号方法または第２の復号方法が選択される。第１の復号方法が選択される場合、元の動画像データにより支持される予測モードでイントラ予測が行われ、圧縮された動画像データの特定フレームのデータが復号化されてサムネイル画像が生成される。一方、第２の復号方法が選択される場合には、第１の復号方法が選択される場合よりも少ない演算量または少ないメモリアクセス量でイントラ予測を行うことができる予測モードでイントラ予測が行われ、サムネイル画像が生成される。
【発明の効果】
【００１０】
本発明にかかるサムネイル画像生成装置および動画像再生装置によれば、サムネイル画像を高速に表示することができるという効果を奏する。
【発明を実施するための最良の形態】
【００１１】
以下に添付図面を参照して、この発明にかかるサムネイル画像生成装置および動画像再生装置の好適な実施の形態を詳細に説明する。
【００１２】
図１は、この発明の実施の形態にかかる動画像再生装置の構成を示す図である。図１に示すように、動画像再生装置１は、ユーザインターフェイス部２、制御部３、データ処理部４およびＯＳ（オペレティングシステム）／ドライバ部５を備えている。データ処理部４は、ビデオ・オーディオ分離部１１、ビデオデコーダ１２、サムネイル画像生成部１３およびオーディオデコーダ１４を備えている。
【００１３】
ＤＶＤ等の記録媒体６に記録されている圧縮された動画像データは、ビデオ・オーディオ分離部１１において、ビデオデータとオーディオデータに分離される。ビデオデータは、ビデオデコーダ１２により復号化され、ＯＳ／ドライバ部５を介してテレビ等のディスプレイ（表示装置）７に送られ、画像として表示される。また、ビデオデコーダ１２は、ディスプレイ７にサムネイル画像を表示する際に、圧縮された動画像データの特定フレームのデータを復号化する。
【００１４】
サムネイル画像生成部１３は、その復号化された特定フレームのデータに基づいてサムネイル画像のデータを生成する。サムネイル画像のデータは、ＯＳ／ドライバ部５を介してディスプレイ７に送られ、サムネイル画像として表示される。オーディオデータは、オーディオデコーダ１４により復号化され、ＯＳ／ドライバ部５を介してスピーカ８に送られ、音声として出力される。制御部３は、ユーザインターフェイス部２による視聴者の指示に従って、動画像再生装置１の動作を制御する。
【００１５】
図２は、この発明の実施の形態にかかるサムネイル画像生成装置の構成を示す図である。図２に示すように、サムネイル画像生成装置２１は、動画像データ数取得部２２、解像度情報取得部２３、デコード方法判断部２４、デコード処理部２５、サムネイル画像変換部２６、サムネイル出力部２７、動画像データの解像度情報を記憶するメモリ２８、イントラ予測変換テーブル２９およびサムネイル画像の解像度情報３０を備えている。これらの各部は、ハードウェアで実現されてもよいし、ソフトウェアをＣＰＵ（演算装置）で処理することによって実現されてもよいし、ハードウェアとソフトウェアの両方で実現されてもよい。
【００１６】
動画像データ数取得部２２は、ユーザインターフェイス部２から、サムネイル画像を表示する指示を受け取ると、記録媒体６に記録されている動画像データの数を取得する。解像度情報取得部２３は、ユーザインターフェイス部２から、サムネイル画像を表示する指示を受け取ると、記録媒体６に記録されている各動画像データの解像度の情報を取得する。取得した動画像データの解像度の情報は、メモリ２８に記憶される。
【００１７】
デコード方法判断部２４は、動画像データ数取得部２２および解像度情報取得部２３により取得した動画像データの数および各動画像データの解像度の情報に基づいて、復号方法を選択する。デコード処理部２５は、デコード方法判断部２４により選択された復号方法に従って、動画像データの特定のフレームのデータを復号化する。その際、デコード処理部２５は、メモリ２８に記憶されている動画像データの解像度の情報とサムネイル画像の解像度情報３０に基づいて、イントラ予測変換テーブル２９から適当なイントラ予測モードを選択して、圧縮された動画像データを復号化する。
【００１８】
サムネイル画像変換部２６は、メモリ２８に記憶されている動画像データの解像度の情報とサムネイル画像の解像度情報３０からサムネイル画像の縮小比率を求め、デコード処理部２５からデコード結果として得られる特定フレームの画像のデータを、サムネイル画像の解像度情報３０に合致するサイズのデータに変換する。サムネイル画像の縮小比率は、元の動画像データの解像度（画素数）をサムネイル画像の解像度（画素数）で除した値である。サムネイル出力部２７は、サムネイル画像変換部２６から出力されるデータをサムネイル画像として出力する。
【００１９】
上述した動画像データ数取得部２２、解像度情報取得部２３およびデコード方法判断部２４は、図１に示す動画像再生装置１においては、制御部３の一機能として実現される。また、デコード処理部２５は、ビデオデコーダ１２の一機能として実現される。サムネイル画像変換部２６は、サムネイル画像生成部１３の一機能として実現される。サムネイル出力部２７は、ＯＳ／ドライバ部５の一機能として実現される。
【００２０】
動画像データの解像度情報を記憶するメモリ２８は、揮発性メモリまたは不揮発性メモリで構成される。サムネイル画像の解像度情報３０は、動画像再生装置１のセットメーカにより与えられる定数値である。サムネイル画像の解像度情報３０およびイントラ予測変換テーブル２９は、予め固定情報として不揮発性メモリに記憶されていてもよいし、ファームウェアの一部として提供されるようになっていてもよい。イントラ予測変換テーブル２９については、後述する。
【００２１】
以上の構成において、ビデオ・オーディオ分離部１１は、分離手段としての機能を有する。ビデオデコーダ１２は、ビデオ復号手段としての機能を有する。オーディオデコーダ１４は、オーディオ復号手段としての機能を有する。サムネイル画像生成部１３およびサムネイル画像変換部２６は、生成手段としての機能を有する。動画像データ数取得部２２、解像度情報取得部２３およびデコード方法判断部２４は、選択手段としての機能を有する。デコード処理部２５は、復号手段としての機能を有する。
【００２２】
図３は、この発明の実施の形態にかかるサムネイル画像生成装置のデコード処理部の一例を示す図である。図３に示すように、デコード処理部２５は、特に限定しないが、例えばＨ．２６４規格に準拠したビデオデコーダであり、可変長符号復号部４１、逆量子化逆変換部４２、イントラ予測部４３、加算器４４、ループフィルタ４５およびフレームバッファ４６を備えている。
【００２３】
サムネイル画像５２を生成する際、デコード方法判断部２４により選択された復号方法に従って、デコード処理部２５は、規格に準拠したデコード処理と、これよりも簡易で、規格に準拠しないデコード処理のいずれか一方を行う。規格に準拠したデコード処理を行う場合、イントラ予測部４３は、元の動画像データ５１により支持される予測モードでイントラ予測を行う。すなわち、通常のビデオデータをデコードする場合と同じである。規格に準拠しないデコード処理を行う場合、イントラ予測部４３は、デコード方法判断部２４から出力される復号方法の指示、メモリ２８に記憶されている動画像データの解像度の情報およびサムネイル画像の解像度情報３０に基づいて、元の動画像データ５１により支持される予測モードと異なる予測モードでイントラ予測を行う。
【００２４】
イントラ予測部４３は、フレーム間予測を用いないマクロブロックに対して、上や左などに隣接するマクロブロックの隣接画素から補間によって予測画像を生成し、予測画像との差分を符号化する。予測画像の生成単位となるブロックサイズは、輝度（Ｙ）成分については、４×４画素および１６×１６画素の２種類である。色差（Ｃｂ、Ｃｒ）成分の８×８画素については、８×８画素単位の１種類である。また、予測モードとして、輝度成分の４×４画素単位の場合は、９種類のモードを利用でき、輝度成分の１６×１６画素単位および色差成分の８×８画素単位の場合は、４種類のモードを利用できる。
【００２５】
図４は、イントラ予測における輝度（Ｙ）成分の４×４画素に対する９種類の予測モードについて説明する図である。図４には、フレームとマクロブロックの関係６１、マクロブロックに対する隣接画素からの予測モード６２、８種類の予測モードの方向６３、９種類の予測モードの名称をまとめた表６４が示されている。
【００２６】
マクロブロックに対する隣接画素からの予測モード６２に示すように、フレーム間予測を用いないマクロブロック６５に対して、上や左などに隣接するマクロブロックの隣接画素６６を用いて、様々な方向から当該マクロブロックの画素６７が、画素単位で予測される。９種類の予測モードの名称をまとめた表６４において２のモードとされているＩｎｔｒａ＿４×４＿ＤＣモードは、８種類の予測モードの方向６３には存在しない。このＩｎｔｒａ＿４×４＿ＤＣモードでは、周囲画素の平均値を予測値として予測が行われる。
【００２７】
図５は、この発明の実施の形態にかかるサムネイル画像生成装置のイントラ予測変換テーブルの一例を示す図である。図５に示すように、イントラ予測変換テーブル２９には、元の動画像データにより支持される予測モード（Ｉｎｔｒａ＿４×４ＰｒｅｄＭｏｄｅによる予測方法）と、元の動画像データ５１により支持される予測モードと異なる予測モード（変更後の予測方法（１）、変更後の予測方法（２））の関係が定義されている。
【００２８】
サムネイル画像を生成する際、デコード処理部２５で規格に準拠したデコード処理を行う場合には、Ｉｎｔｒａ＿４×４ＰｒｅｄＭｏｄｅによる予測方法が用いられる。それに対して、デコード処理部２５で規格に準拠しないデコード処理を行う場合には、Ｉｎｔｒａ４×４ＰｒｅｄＭｏｄｅによる予測方法ではなく、変更後の予測方法（１）または変更後の予測方法（２）が用いられる。その際、サムネイル画像の縮小比率が４未満である場合には、変更後の予測方法（１）が用いられ、サムネイル画像の縮小比率が４以上である場合には、変更後の予測方法（２）が用いられる。
【００２９】
変更後の予測方法（１）および変更後の予測方法（２）の各予測モードは、対応するＩｎｔｒａ４×４ＰｒｅｄＭｏｄｅによる予測方法の各予測モードに比べて、少ない演算量または少ないメモリアクセス量でイントラ予測を行うことが可能なモードである。ただし、Ｉｎｔｒａ４×４ＰｒｅｄＭｏｄｅによる予測方法のＩｎｔｒａ＿４×４＿ＶｅｒｔｉｃａｌモードとＩｎｔｒａ＿４×４＿Ｈｏｒｉｚｏｎｔａｌモードについては、変更後の予測方法（１）および変更後の予測方法（２）においても同じモードである。また、Ｉｎｔｒａ４×４ＰｒｅｄＭｏｄｅによる予測方法のＩｎｔｒａ＿４×４＿ＤＣモードとＩｎｔｒａ＿４×４＿Ｖｅｒｔｉｃａｌ＿ＲｉｇｈｔモードとＩｎｔｒａ＿４×４＿Ｈｏｒｉｚｏｎｔａｌ＿Ｄｏｗｎモードについては、変更後の予測方法（１）においても同じモードである。
【００３０】
また、Ｉｎｔｒａ４×４ＰｒｅｄＭｏｄｅによる予測方法のＩｎｔｒａ＿４×４＿ＤＣモードとＩｎｔｒａ＿４×４＿Ｄｉａｇｏｎａｌ＿Ｄｏｗｎ＿Ｒｉｇｈｔモードのそれぞれに対する変更後の予測方法（２）の予測モードは、Ｉｎｔｒａ＿４×４＿ＶｅｒｔｉｃａｌモードまたはＩｎｔｒａ＿４×４＿Ｈｏｒｉｚｏｎｔａｌモードとなっている。また、Ｉｎｔｒａ４×４ＰｒｅｄＭｏｄｅによる予測方法のＩｎｔｒａ＿４×４＿Ｄｉａｇｏｎａｌ＿Ｄｏｗｎ＿Ｒｉｇｈｔモードに対する変更後の予測方法（１）の予測モードは、Ｉｎｔｒａ＿４×４＿Ｖｅｒｔｉｃａｌ＿ＲｉｇｈｔモードまたはＩｎｔｒａ＿４×４＿Ｈｏｒｉｚｏｎｔａｌ＿Ｄｏｗｎモードとなっている。
【００３１】
このように、変更後の予測方法において水平方向の予測モード（＿Ｈｏｒｉｚｏｎｔａｌのモード）と垂直方向の予測モード（＿Ｖｅｒｔｉｃａｌのモード）が設定されている場合には、元の動画像データの水平方向の画素数をサムネイル画像の水平方向の画素数で除した値（水平方向の縮小比率）と、元の動画像データの垂直方向の画素数をサムネイル画像の垂直方向の画素数で除した値（垂直方向の縮小比率）が比較される。その結果、水平方向の縮小比率の方が大きい場合には、水平方向の予測モード（＿Ｈｏｒｉｚｏｎｔａｌのモード）が選択される。垂直の縮小比率の方が大きい場合には、垂直方向の予測モード（＿Ｖｅｒｔｉｃａｌのモード）が選択される。
【００３２】
なお、輝度（Ｙ）成分の１６×１６画素に対する予測モード、および色差成分の８×８画素に対する予測モードについては、上述した輝度（Ｙ）成分の４×４画素に対する予測モードと同様、規格に定められている通りであるので、説明を省略する。また、輝度（Ｙ）成分の１６×１６画素に対する予測モード、および色差成分の８×８画素に対する予測モードについて、説明を省略するが、上述した輝度（Ｙ）成分の４×４画素に対する予測モードと同様に、イントラ予測変換テーブルが定められている。
【００３３】
図６は、この発明の実施の形態にかかるサムネイル画像生成装置の処理手順を示す図である。図６に示すように、ユーザインターフェイス部２からサムネイル画像を表示する指示が出力されると、サムネイル画像の表示処理が開始される。この処理が開始されると、動画像データ数取得部２２は、記録媒体６に記録されている動画像データの数Ｍ（Ｍは自然数）を取得する（ステップＳ１）。また、解像度情報取得部２３は、記録媒体６に記録されている各動画像データのヘッダ部分に格納されている解像度（画素数Ｎ、Ｎは自然数）の情報を取得する（ステップＳ２）。
【００３４】
次いで、デコード方法判断部２４は、動画像データの数Ｍと各動画像データの画素数Ｎから動画像データの総画素数Ｓを求める（ステップＳ３）。第１の動画像データの画素数をＮ１、第２の動画像データの画素数をＮ２、第Ｍの動画像データの画素数をＮＭとすると、総画素数Ｓは、次式により求められる。
Ｓ＝Ｎ１＋Ｎ２＋・・・＋ＮＭ
【００３５】
次いで、デコード方法判断部２４は、動画像データの総画素数Ｓと閾値αを比較し、動画像データの総画素数Ｓが閾値αよりも大きいか否かを判断する（ステップＳ４）。ここで、閾値αは、動画像再生装置１のメモリバンド幅、ＣＰＵのクロック、周波数および記録媒体の種類などのシステム構成に応じて、動画像再生装置１のセットメーカにより設定される。動画像データの総画素数Ｓが閾値αよりも大きい場合（ステップＳ４：Ｙｅｓ）、一定の時間内にサムネイル画像を表示することができないと予測されるので、サムネイル画像の生成および表示処理を高速に行う必要がある。そこで、この場合には、デコード処理部２５は、動画像データのサムネイル用フレームの復号処理を、上述した規格に準拠しない方法で行う（ステップＳ５）。
【００３６】
次いで、サムネイル画像変換部２６は、デコード処理部２５により復号化された動画像データのサムネイル用フレームのデータをサムネイル画像のデータに変換する（ステップＳ６）。そして、そのサムネイル画像のデータを用いて、サムネイル画像を表示する（ステップＳ７）。次いで、全てのサムネイル画像の表示が完了したか否かを判断する（ステップＳ８）。全てのサムネイル画像の表示が完了していない場合（ステップＳ８：Ｎｏ）、ステップＳ５からステップＳ８を繰り返す。全てのサムネイル画像が表示されたら（ステップＳ８：Ｙｅｓ）、サムネイル画像の表示処理を終了する。
【００３７】
一方、ステップＳ４で、動画像データの総画素数Ｓが閾値α以下である場合（ステップＳ４：Ｎｏ）、一定の時間内にサムネイル画像を表示することができると予測される。そこで、この場合には、デコード処理部２５は、動画像データのサムネイル用フレームの復号処理を、規格に準拠したアルゴリズムで行う（ステップＳ９）。次いで、前記ステップＳ６から前記ステップＳ８までと同様にして、サムネイル画像のデータへの変換（ステップＳ１０）、サムネイル画像の表示（ステップＳ１１）、全てのサムネイル画像の表示完了の判断（ステップＳ１２）を行う。そして、全てのサムネイル画像が表示されたら（ステップＳ１２：Ｙｅｓ）、サムネイル画像の表示処理を終了する。
【００３８】
以上説明したように、実施の形態によれば、一定の時間内にサムネイル画像を表示することができると予測される場合、規格に準拠した方法で動画像データのサムネイル用フレームの復号処理が行われる。一方、一定の時間内にサムネイル画像を表示することができないと予測される場合、規格に準拠した方法よりもＣＰＵの演算量やメモリアクセス量の少ない方法で動画像データのサムネイル用フレームの復号処理が行われるので、サムネイル画像を高速に表示することができる。従って、一画面に表示されるサムネイル画像の数や動画像データの種類に関係なく、サムネイル画像が表示されるまでの時間がほぼ均等になり、一定の時間内にサムネイル画像を表示することができる。その際、通常、サムネイル画像の画面サイズが元の動画像データの画面サイズよりも小さいので、規格に準拠しない簡易な方法で動画像データのサムネイル用フレームの復号処理を行っても、視聴者が画質の劣化を感じることはない。
【００３９】
（付記１）複数の復号方法の中から一つを選択する選択手段と、前記選択手段により選択された復号方法により、圧縮された動画像データの特定フレームのデータを復号化する復号手段と、前記復号手段により復号化されたデータに基づいてサムネイル画像を生成する生成手段と、を備えることを特徴とするサムネイル画像生成装置。
【００４０】
（付記２）前記選択手段は、サムネイル画像の表示対象となる動画像データの数と該動画像データの解像度に基づいて、復号方法を選択することを特徴とする付記１に記載のサムネイル画像生成装置。
【００４１】
（付記３）前記復号手段は、前記選択手段により第１の復号方法が選択されるときに、元の動画像データにより支持される予測モードでイントラ予測を行い、前記選択手段により第２の復号方法が選択されるときに、元の動画像データにより支持される予測モードと異なる予測モードでイントラ予測を行うことを特徴とする付記２に記載のサムネイル画像生成装置。
【００４２】
（付記４）元の動画像データにより支持される予測モードを、前記選択手段により前記第２の復号方法が選択されるときの予測モードに変換するテーブル、をさらに備えることを特徴とする付記３に記載のサムネイル画像生成装置。
【００４３】
（付記５）前記復号手段は、前記選択手段により前記第２の復号方法が選択されるときに、元の動画像データにより支持される予測モードでイントラ予測を行う場合よりも少ない演算量でイントラ予測を行うことが可能な予測モードでイントラ予測を行うことを特徴とする付記３に記載のサムネイル画像生成装置。
【００４４】
（付記６）前記復号手段は、前記選択手段により前記第２の復号方法が選択されるときに、元の動画像データにより支持される予測モードでイントラ予測を行う場合よりも少ないメモリアクセス量でイントラ予測を行うことが可能な予測モードでイントラ予測を行うことを特徴とする付記３に記載のサムネイル画像生成装置。
【００４５】
（付記７）前記復号手段は、前記選択手段により前記第２の復号方法が選択されるときに、サムネイル画像の縮小比率に応じて予測モードを変更することを特徴とする付記３に記載のサムネイル画像生成装置。
【００４６】
（付記８）前記復号手段は、前記選択手段により前記第２の復号方法が選択されるときに、サムネイル画像の水平方向の縮小比率とサムネイル画像の垂直方向の縮小比率を比較して、縮小比率の大きい方の予測モードに変更することを特徴とする付記７に記載のサムネイル画像生成装置。
【００４７】
（付記９）圧縮された動画像データをビデオデータとオーディオデータに分離する分離手段と、複数の復号方法の中から一つを選択する選択手段と、前記分離手段で分離されたビデオデータを復号化するとともに、前記選択手段により選択された復号方法により、圧縮された動画像データの特定フレームのデータを復号化するビデオ復号手段と、前記ビデオ復号手段により復号化されたデータに基づいてサムネイル画像を生成する生成手段と、前記分離手段で分離されたオーディオデータを復号化するオーディオ復号手段と、を備えることを特徴とする動画像再生装置。
【００４８】
（付記１０）前記選択手段は、サムネイル画像の表示対象となる動画像データの数と該動画像データの解像度に基づいて、復号方法を選択することを特徴とする付記９に記載の動画像再生装置。
【００４９】
（付記１１）前記ビデオ復号手段は、前記選択手段により第１の復号方法が選択されるときに、元の動画像データにより支持される予測モードでイントラ予測を行い、前記選択手段により第２の復号方法が選択されるときに、元の動画像データにより支持される予測モードと異なる予測モードでイントラ予測を行うことを特徴とする付記１０に記載の動画像再生装置。
【００５０】
（付記１２）元の動画像データにより支持される予測モードを、前記選択手段により前記第２の復号方法が選択されるときの予測モードに変換するテーブル、をさらに備えることを特徴とする付記１１に記載の動画像再生装置。
【００５１】
（付記１３）前記ビデオ復号手段は、前記選択手段により前記第２の復号方法が選択されるときに、元の動画像データにより支持される予測モードでイントラ予測を行う場合よりも少ない演算量でイントラ予測を行うことが可能な予測モードでイントラ予測を行うことを特徴とする付記１１に記載の動画像再生装置。
【００５２】
（付記１４）前記ビデオ復号手段は、前記選択手段により前記第２の復号方法が選択されるときに、元の動画像データにより支持される予測モードでイントラ予測を行う場合よりも少ないメモリアクセス量でイントラ予測を行うことが可能な予測モードでイントラ予測を行うことを特徴とする付記１１に記載の動画像再生装置。
【００５３】
（付記１５）前記ビデオ復号手段は、前記選択手段により前記第２の復号方法が選択されるときに、サムネイル画像の縮小比率に応じて予測モードを変更することを特徴とする付記１１に記載の動画像再生装置。
【００５４】
（付記１６）前記ビデオ復号手段は、前記選択手段により前記第２の復号方法が選択されるときに、サムネイル画像の水平方向の縮小比率とサムネイル画像の垂直方向の縮小比率を比較して、縮小比率の大きい方の予測モードに変更することを特徴とする付記１５に記載の動画像再生装置。
【産業上の利用可能性】
【００５５】
以上のように、本発明にかかるサムネイル画像生成装置および動画像再生装置は、記録媒体に記録された動画像データの再生機能を有する装置に有用であり、特に、ＤＶＤ再生装置やＤＶＤ記録再生装置に適している。
【図面の簡単な説明】
【００５６】
【図１】この発明の実施の形態にかかる動画像再生装置の構成を示す図である。
【図２】この発明の実施の形態にかかるサムネイル画像生成装置の構成を示す図である。
【図３】この発明の実施の形態にかかるサムネイル画像生成装置のデコード処理部の一例を示す図である。
【図４】イントラ予測について説明する図である。
【図５】この発明の実施の形態にかかるサムネイル画像生成装置のイントラ予測変換テーブルの一例を示す図である。
【図６】この発明の実施の形態にかかるサムネイル画像生成装置の処理手順を示す図である。
【符号の説明】
【００５７】
１  動画像再生装置
１１  ビデオ・オーディオ分離部
１２  ビデオデコーダ
１３  サムネイル画像生成部
１４  オーディオデコーダ
２１  サムネイル画像生成装置
２２  動画像データ数取得部
２３  解像度情報取得部
２４  デコード方法判断部
２５  デコード処理部
２６  サムネイル画像変換部
２９  イントラ予測変換テーブル
【図１】
2009081511.tif 000003
【図２】
2009081511.tif 000004
【図３】
2009081511.tif 000005
【図４】
2009081511.tif 000006
【図５】
2009081511.tif 000007
【図６】
2009081511.tif 000008